(57)【要約】【課題】  大腿部のマッサージ効果が向上する椅子式マッサージ機を提供する。【解決手段】  座面部２の幅方向のほぼ中央部位に、膨張時に着座者Ｍの左右大腿部の間に立ち上がって、左右大腿部の内側部を外方に押圧する第１マッサージ用空気袋１０を設けることで、着座者Ｍの左右大腿部の内側部を外方に押圧するマッサージができる。  加えて、座面部２の両側に位置する肘掛け部４に、膨張時に着座者Ｍの左右大腿部の外側部を内方に押圧する第２マッサージ用空気袋１１を設けることで、第１マッサージ用空気袋１０と第２マッサージ用空気袋１１とで、着座者Ｍの左右大腿部の内側部と外側部とを挟み込むマッサージができる。【選択図】  図３
2006255155.tif 000002
【特許請求の範囲】
【請求項１】
座面部の幅方向のほぼ中央部位に、膨張時に着座者の左右大腿部の間に立ち上がって、左右大腿部の内側部を外方に押圧する第１マッサージ用空気袋を設けていることを特徴とする椅子式マッサージ機。
【請求項２】
前記第１マッサージ用空気袋は、正面視で楕円形状に膨張する空気袋を上下方向に複数段で設けるとともに、上段側の空気袋を左右に分割して、下段側の空気袋の膨張した曲面に倣って、分割した上段側の空気袋が外方に開くようにしたことを特徴とする請求項１記載の椅子式マッサージ機。
【請求項３】
前記座面部の両側に位置する肘掛け部に、膨張時に着座者の左右大腿部の外側部を内方に押圧する第２マッサージ用空気袋を設けたことを特徴とする請求項１または２記載の椅子式マッサージ機。
【発明の詳細な説明】
【技術分野】
【０００１】
本発明は、椅子式マッサージ機に関する。
【背景技術】
【０００２】
従来、座面部の前部上面と、左右の肘掛けの前部対向面とに、それぞれ空気袋を設けて、着座者の左右の大腿部をマッサージする椅子式マッサージ機がある（特許文献１参照）。
【特許文献１】特開２００３−３１９９９０号公報
【発明の開示】
【発明が解決しようとする課題】
【０００３】
しかしながら、特許文献１では、着座者の大腿部の下側部と外側部とをマッサージするだけであって、大腿部の内側部をマッサージができないので、大腿部のマッサージ効果が充分に得られないという問題があった。
【０００４】
本発明は、前記問題を解消するためになされたもので、大腿部のマッサージ効果が向上する椅子式マッサージ機を提供することを目的とするものである。
【課題を解決するための手段】
【０００５】
前記課題を解決するために、本発明は、座面部の幅方向のほぼ中央部位に、膨張時に着座者の左右大腿部の間に立ち上がって、左右大腿部の内側部を外方に押圧する第１マッサージ用空気袋を設けていることを特徴とする椅子式マッサージ機を提供するものである。
【０００６】
左右大腿部の内側部を効果的に押圧するために、前記第１マッサージ用空気袋は、正面視で楕円形状に膨張する空気袋を上下方向に複数段で設けるとともに、上段側の空気袋を左右に分割して、下段側の空気袋の膨張した曲面に倣って、分割した上段側の空気袋が外方に開くようにした構成とすることが好ましい。
【０００７】
着座者の左右大腿部の内側部と外側部とを挟み込むマッサージをするために、前記座面部の両側に位置する肘掛け部に、膨張時に着座者の左右大腿部の外側部を内方に押圧する第２マッサージ用空気袋を設けた構成とすることが好ましい。
【発明の効果】
【０００８】
本発明によれば、第１マッサージ用空気袋で、着座者の左右大腿部の内側部を外方に押圧するマッサージができるから、大腿部のマッサージ効果が向上するようになる。
【発明を実施するための最良の形態】
【０００９】
以下、本発明を実施するための最良の形態について、図面を参照しながら詳細に説明する。
【００１０】
図１に示すように、椅子式マッサージ機１は、座面部２と背もたれ部３とが設けられるとともに、座面部２の両側には、上方に立ち上がる肘掛け部４が設けられている。また、座面部２の前側には、オットマン５が設けられている。
【００１１】
前記背もたれ部３は、リクライニング機構（不図示）によって前後傾可能（矢印ａ参照）であるとともに、前記オットマン５は、上下動機構（不図示）によって上下動可能（矢印ｂ参照）である。
【００１２】
前記オットマン５には、着座者が足の土踏まず部分を置く凹部５ａとふくらはぎ部分を嵌め込む凹部５ｂとが形成されて、前記土踏まず部分を置く凹部５ａには、土踏まず部分とその両側部分とを膨張・収縮作用でマッサージする複数個の空気袋６ａが設けられるとともに、前記ふくらはぎ部分を嵌め込む凹部５ｂには、ふくらはぎ部分とその両側部分とを膨張・収縮作用でマッサージする複数個の空気袋６ｂが設けられている。
【００１３】
前記背もたれ部３の前部には、左右一対の施療子７が設けられ、この施療子７は、背もたれ部３に内蔵された移動機構（不図示）によって、上下方向、左右（幅）方向および前後（強弱）方向に移動できるようになる。
【００１４】
前記座面部２の左右（幅）方向のほぼ中央部位の内部には、第１マッサージ用空気袋１０が設けられている。この第１マッサージ用空気袋１０は、図２（ａ）（ｂ）のように、上下方向に２段で、それぞれが平面視で長方形状の上段側の空気袋１０Ａと下段側の空気袋１０Ｂとが設けられている。この各空気袋１０Ａ，１０Ｂは、チューブ１２ａ，１２ｂ，１２ｃを介して切り換え弁１３に接続されて、ポンプＰからの空気の供給で膨張するとともに、空気の排出で収縮するようになる。
【００１５】
下段側の空気袋１０Ｂは、図２（ａ）（ｂ）のように、正面視で偏平な長方形状に収縮するとともに、図２（ｃ）のように、正面視で楕円形状に膨張するようになる。
【００１６】
上段側の空気袋１０Ａは、左右方向の中間部１０ｃを接合して左右に２分割されることで、図２（ａ）（ｂ）のように、着座者Ｍ（図３参照）から見て、左部１０ａと右部１０ｂのそれぞれが正面視で偏平な長方形状に収縮するとともに、図２（ｃ）のように、左部１０ａと右部１０ｂのそれぞれが正面視で楕円形状に膨張するようになる。
【００１７】
前記座面部２のシート材２ａは、上段側の空気袋１０Ａと下段側の空気袋１０Ｂとが同時に膨張する時に、膨張を妨げないように伸びるとともに、同時に収縮する時に、それに追従して縮むような伸縮性に富んだ素材である。
【００１８】
前記下段側の空気袋１０Ｂと上段側の空気袋１０Ａとは、膨張時に着座者の左右大腿部の間に立ち上がるとともに、上段側の空気袋１０Ａの分割した左部１０ａと右部１０ｂは、下段側の空気袋１０Ｂの膨張した曲面に倣って、図２（ｃ）に矢印ｃで示すように、自然に外方に開くようになる。
【００１９】
前記のような椅子式マッサージ機１であれば、座面部２の第１マッサージ用空気袋１０に空気を供給すると、下段側の空気袋１０Ｂは、正面視で楕円形状に膨張するとともに、上段側の空気袋１０Ａの左部１０ａと右部１０ｂのそれぞれが正面視で楕円形状に膨張して、図３（ａ）のように、着座者Ｍの左右大腿部の間に立ち上がるようになる。このとき、上段側の空気袋１０Ａの左部１０ａと右部１０ｂは、下段側の空気袋１０Ｂの膨張した曲面に倣って、自然に外方に開くから〔図２（ｃ）の矢印ｃ参照〕、着座者Ｍの左右大腿部の内側部を外方に押圧するマッサージができるので、大腿部のマッサージ効果が向上するようになる。
【００２０】
特に、下段側の空気袋１０Ｂの膨張した曲面に倣って、分割した上段側の空気袋１０Ａの左部１０ａと右部１０ｂとが自然と外方に開くので、左右大腿部の内側部を効果的に押圧できるようになる。
【００２１】
図３（ｂ）に示すように、前記座面部２の両側に位置する肘掛け部４の内面に、膨張時に（矢印ｄ参照）、着座者Ｍの左右大腿部の外側部を内方に押圧する第２マッサージ用空気袋１１を設けることができる。
【００２２】
この構成であれば、第２マッサージ用空気袋１１は、膨張時に内方に膨出するから（矢印ｄ参照）、第１マッサージ用空気袋１０と第２マッサージ用空気袋１１とで、着座者Ｍの左右大腿部の内側部と外側部とを挟み込むマッサージができるようになる。
【００２３】
前記実施形態では、第１マッサージ用空気袋１０は、上下方向に２段で、上段側の空気袋１０Ａと下段側の空気袋１０Ｂとを設けたものであったが、膨張時に着座者Ｍの左右大腿部の間に立ち上がって、左右大腿部の内側部を外方に押圧するように開くものであれば、１段のものであっても構わない。また、第１マッサージ用空気袋１０は、上下３段以上であっても構わない。
【００２４】
また、上段側の空気袋１０Ａは、左部１０ａと右部１０ｂとの中間部１０ｃを接合しているが、中間部１０ｃを無くして、左部１０ａと右部１０ｂとが独立のものであっても構わない。
【００２５】
さらに、第１マッサージ用空気袋１０と第２マッサージ用空気袋１１の空気の給排タイミングは、前記切り換え弁１３を制御することで、同時でもずらしても構わない。
【図面の簡単な説明】
【００２６】
【図１】本発明の実施形態に係る椅子式マッサージ機の斜視図である。
【図２】第１マッサージ用空気袋であり、（ａ）は収縮時の斜視図、（ｂ）は収縮時の正面図、（ｃ）は膨張時の正面図である。
【図３】本発明の実施形態に係る椅子式マッサージ機であり、（ａ）は第１マッサージ用空気袋が膨張時の正面図、（ｂ）は第１マッサージ用空気袋と第２マッサージ用空気袋とが膨張時の正面図である。
【符号の説明】
【００２７】
１      椅子式マッサージ機
２      座面部
４      肘掛け部
１０    第１マッサージ用空気袋
１０Ａ  上段側の空気袋
１０Ｂ  下段側の空気袋
１０ａ  左部
１０ｂ  右部
１０ｃ  中間部
１１    第２マッサージ用空気袋
Ｍ      着座者
【図１】
2006255155.tif 000003
【図２】
2006255155.tif 000004
【図３】
2006255155.tif 000005